(57)【要約】      （修正有）【課題】より強い輝きを発揮すると共にハートアンドアロー現象を観察できるダイアモンドのカッティング方法及びそれにより得られたダイアモンドを提供する。【解決手段】ダイアモンド原石におけるパビリオン形成側の結晶形の稜線から約１５°ずらした位置が稜線となるように５のパビリオンメインファセットを形成し、これを基準として１０のパビリオンメインファセットを形成する。ダイアモンドのパビリオン側には、鋭角なキューレット１８を中心として１０のパビリオンメインファセット１９と、その間には２０のローワーガードルファセット２０が形成されている。【選択図】図３
2006181644.tif 000002
【特許請求の範囲】
【請求項１】
中央に平坦なテーブルを有する略円錐台形状のクラウンと、中心に鋭角なキューレットを有する略円錐形状のパビリオンと、該クラウンと該パビリオンとの境界周面の帯状のガードルとを具備するダイアモンドのカッティング方法であって、ダイアモンド原石のパビリオン形成側の結晶形の稜線から約１５°ずらした位置を中心線として最初の第１パビリオンメインファセットを、続いて合計５の第１パビリオンメインファセットを形成する第１の工程と、さらに該第１パビリオンメインファセットの境界線を中心線として１０の第２パビリオンメインファセットを形成する第２の工程と、を具備することを特徴とするダイアモンドのカッティング方法。
【請求項２】
中央に平坦なテーブルを有する略円錐台形状のクラウンと、中心に鋭角なキューレットを有する略円錐形状のパビリオンと、該クラウンと該パビリオンとの境界周面の帯状のガードルとを具備するダイアモンドのカッティング方法であって、ダイアモンド原石におけるクラウン形成側の結晶形の稜線から約１５°ずらした位置を中心線として最初の第１クラウンメインファセットを、続いて合計５の第１クラウンメインファセットを形成する第１の工程と、さらに該第１クラウンメインファセットの境界点を中心線として１０の第２クラウンメインファセットを形成する第１の工程と、を具備することを特徴とするダイアモンドのカッティング方法。
【請求項３】
前記第１及び第２パビリオンメインファセット又は前記第１及び第２クラウンメインファセットを形成する工程において、前記ダイアモンド原石を把持しつつ所定の角度だけ方向を変えるタングを使用する手段と、該ダイアモンド原石に対しスカイフを回転して研磨処理を施す手段と、を具備する装置を用い、該装置は該ダイアモンド原石を把持しつつ約３６°ずつ方向を変えて該ダイアモンド原石に対して研磨処理を施すことを特徴とする請求項１又は請求項２に記載のダイアモンドのカッティング方法。
【請求項４】
請求項１乃至請求項３に記載のカッティング方法により得られたことを特徴とするダイアモンド。
【請求項５】
中央に平坦なテーブルを有する略円錐台形状のクラウンと、中心に鋭角なキューレットを有する略円錐形状のパビリオンと、該クラウンと該パビリオンとの境界周面の帯状のガードルとを具備するダイアモンドであって、該パビリオン側には、該キューレットを中心として１０のパビリオンメインファセット、該パビリオンメインファセットの間には、２０のローワーガードルファセットが、それぞれ形成されていることを特徴とするダイアモンド。
【請求項６】
中央に平坦なテーブルを有する略円錐台形状のクラウンと、中心に鋭角なキューレットを有する略円錐形状のパビリオンと、該クラウンと該パビリオンとの境界周面の帯状のガードルとを具備するダイアモンドであって、該クラウン側には、該テーブルの周囲に１０のスターファセット、該スターファセットの外側には１０のクラウンメインファセット、さらにその外側には２０のアッパーガードルファセットが、それぞれ形成されていることを特徴とするダイアモンド。
【請求項７】
所定の照明条件下において、前記ダイアモンドをフェイスダウン方向に載置する場合には、１０のハートの投影図が観察されることを特徴とする請求項１乃至請求項６に記載のダイアモンド。
【請求項８】
所定の照明条件下において、前記ダイアモンドをフェイスアップ方向に載置する場合には、１０のアローの投影図が観察されることを特徴とする請求項１乃至請求項６に記載のダイアモンド。
【発明の詳細な説明】
【０００１】
【発明の属する技術分野】
本発明は、強い輝きを発揮するダイアモンドのカッティング方法及びそれにより得られたダイアモンドに関し、特に、所定の照明条件下において、通常のダイアモンドよりも多い１０のハートアンドアロー投影図が観察されるダイアモンドのカッティング方法及びそれにより得られたダイアモンドに関する。
【０００２】
【従来の技術】
通常、ダイアモンドは、平坦なテーブルを有する略円錐台形状のクラウンと、鋭角なキューレットを有する略円錐形状のパビリオンと、このクラウンとパビリオンとの境界周面の帯状のガードルとを有している。そして、このダイアモンドは、図１１及び図１２に示すように、クラウン側においては、テーブル８１、８のクラウンメインファセット８２と、８のスターファセット８３と、１６のアッパーガードルファセット８４と、パビリオン側においては、８のパビリオンメインファセット８５と、１６のローワーガードルファセット８６とにカットされるのが最も一般的で、ラウンドブリリアントカットと呼ばれている。
【０００３】
このようなダイアモンドのカッティング方法として、例えば、パビリオン側を研磨処理する場合においては、第１の工程として、図８（ａ）及び図１３（ａ）に示すダイアモンド原石３の結晶形の稜線９１を中心線とし、第１の工程では稜線９１を平坦にするように研磨処理して最初の第１パビリオンメインファセット９２を形成し（図１３（ｂ））、図１３（ｃ）に示すように、続いて合計４の第１パビリオンメインファセット９２を形成する。
この場合、４の第１パビリオンメインファセット９２を形成するので、一つの第１パビリオンメインファセットの中心角９５は９０°となる。次いで、第２の工程として、前記第１パビリオンメインファセット９２間に形成された境界線９３を中心線とし、境界線９３を平坦にするように研磨処理を行い中心角９６が４５°である８のパビリオンメインファセット９４を形成する。
【０００４】
また、クラウン側を研磨処理する場合においては、図８（ｂ）及び図１４（ａ）に示すようにダイアモンド原石の結晶形の先端部を切り取る作業を行ない、平坦なテーブル１０３を形成する。そして、第１の工程として、ダイアモンド原石３の結晶形の稜線１０１を中心線とし、最初の第１クラウンメインファセットを、続いて４の第１クラウンメインファセットを形成する（図１４（ｂ）及び図１４（ｃ））。この場合、第１クラウンメインファセット１０４の間の境界線１０５と中心点を結んだ中心角１０８は９０°となる。次いで、第２の工程として、第１クラウンメインファセットの間の境界線１０５を中心として研磨処理を行い中心角１０９が４５°である８の第２クラウンメインファセット１０７を形成する。
【０００５】
なお、このような研磨処理に使用される装置としては、図１０に示すような、ダイアモンド原石３を把持しつつ約４５°ずつ方向を変えることができるタング５４と呼ばれる把持具を使用し、ダイアモンドパウダーが散布された平坦な鋼板であるスカイフ５１を回転してダイアモンド原石３に対して研磨処理を施す。
【０００６】
そして、このようなダイアモンドの中で優れたプロポーションのものは、カラーフィルターを用いた有色光によりメインファセットを照射し、かつ他のファセットからの入射光を遮断して拡大視装置を使用すると、ハートアンドアロー現象を観察できることが経験的に知られている。このハートアンドアロー現象は、ダイアモンドの輝きが優れていることの証明としてセールスポイントに多く利用されている。ラウンドブリリアントカットされたダイアモンドは、前記照明条件下ではフェイスアップ方向（クラウンのテーブルを上側にした方向）に載置して観察すると、図１５に示すような８のアロー現象１２３が全体的に投影され、フェイスダウン方向（クラウンのテーブルを下側にした方向）に載置して観察すると、図１６に示すような８のハート現象１２４が投影される。
【０００７】
【特許文献】
特許第１９８４９９６号
【０００８】
【発明が解決しようとする課題】
一般に、ダイアモンドは、色彩を有していないが、輝きの面で他の宝石に比べて優れている。この輝きは、プリリアンシーと呼ばれる鮮やかな反射光、プリズムのように光を分散させるファイアと呼ばれる虹彩、及びシンチレーションと呼ばれる閃光によるものとされている。したがって、ダイアモンドの場合、輝きが強いほどその価値は高くなる。このため、より強い輝きを発揮するものが望まれている。
【０００９】
本発明はかかる点に鑑みてなされたものであり、一般的なラウンドブリリアントカットに比し、より強い輝きを発揮すると共により多くのハートアロー現象を観察できるダイアモンドのカッティング方法及びそれにより得られたダイアモンドを提供することを目的とする。
【課題を解決するための手段】
【００１０】
すなわち、本発明に係るダイアモンドのカッティング方法は、中央に平坦なテーブルを有する略円錐台形状のクラウンと、中心に鋭角なキューレットを有する略円錐形状のパビリオンと、該クラウンと該パビリオンとの境界周面の帯状のガードルとを具備するダイアモンドのカッティング方法であって、ダイアモンド原石のパビリオン形成側の結晶形の稜線から約１５°ずらした位置を中心線として最初の第１パビリオンメインファセットを、続いて合計５の第１パビリオンメインファセットを形成する第１の工程と、さらに該第１パビリオンメインファセットの境界線を中心線として１０の第２パビリオンメインファセットを形成する第２の工程と、を具備することを特徴とする。また、中央に平坦なテーブルを有する略円錐台形状のクラウンと、中心に鋭角なキューレットを有する略円錐形状のパビリオンと、該クラウンと該パビリオンとの境界周面の帯状のガードルとを具備するダイアモンドのカッティング方法であって、ダイアモンド原石におけるクラウン形成側の結晶形の稜線から約１５°ずらした位置を中心線として最初の第１クラウンメインファセットを、続いて合計５の第１クラウンメインファセットを形成する第１の工程と、さらに該第１クラウンメインファセットの境界点を中心線として１０の第２クラウンメインファセットを形成する第１の工程と、を具備することを特徴とする。
【００１１】
したがって、ダイアモンド原石におけるパビリオン形成側の結晶形の稜線から約１５°ずらした位置を目安としてパビリオンメインファセット及びクラウンメインファセットを形成し、ダイアモンド原石の研磨処理しづらい部分を避けながら１０のパビリオンメインファセット及び１０のクラウンメインファセットを容易に形成することができる。
【００１２】
また、前記第１及び第２パビリオンメインファセット又は前記第１及び第２クラウンメインファセットを形成する工程において、前記ダイアモンド原石を把持しつつ所定の角度だけ方向を変えるタングを使用する手段と、該ダイアモンド原石に対しスカイフを回転して研磨処理を施す手段と、を具備する装置を用い、該装置は該ダイアモンド原石を把持しつつ約３６°ずつ方向を変えて該ダイアモンド原石に対して研磨処理を施すことを特徴とする請求項１又は請求項２に記載のダイアモンドのカッティング方法であることを特徴とする。
【００１３】
したがって、正確な比率をもって１０のパビリオンメインファセット及び１０のクラウンメインファセットを形成することができる。
【００１４】
本発明は、請求項１乃至請求項３に記載のカッティング方法により得られたダイアモンドであることを特徴とする。そして、中央に平坦なテーブルを有する略円錐台形状のクラウンと、中心に鋭角なキューレットを有する略円錐形状のパビリオンと、該クラウンと該パビリオンとの境界周面の帯状のガードルとを具備するダイアモンドであって、該パビリオン側には、該キューレットを中心として１０のパビリオンメインファセット、該パビリオンメインファセットの間には、２０のローワーガードルファセットが、それぞれ形成されているダイアモンドであることを特徴とする。中央に平坦なテーブルを有する略円錐台形状のクラウンと、中心に鋭角なキューレットを有する略円錐形状のパビリオンと、該クラウンと該パビリオンとの境界周面の帯状のガードルとを具備するダイアモンドであって、該クラウン側には、該テーブルの周囲に１０のスターファセット、該スターファセットの外側には１０のクラウンメインファセット、さらにその外側には２０のアッパーガードルファセットが、それぞれ形成されているダイアモンドであることを特徴とする。
【００１５】
さらに、本発明に係るダイアモンドは、所定の照明条件下において、前記ダイアモンドをフェイスダウン方向に載置する場合には、１０のハートの投影図が観察される請求項１乃至請求項６に記載のダイアモンドであることを特徴とする。所定の照明条件下において、前記ダイアモンドをフェイスアップ方向に載置する場合には、１０のアローの投影図が観察されることを特徴とする請求項１乃至請求項６に記載のダイアモンドであることを特徴とする。
【００１６】
したがって、ダイアモンドの優れたカットの証明であるハートアンドアロー現象をより多く具現することができ、より強い輝きを発揮することができる。
【００１７】
【発明の実施の形態】
ダイアモンドは、パビリオンメインファセットの面数が多いほど輝きが強くなると一般的に考えられるが、必要以上にパビリオンメインファセットやクラウンメインファセットの面数を多くすると、カットや輝きの証明であるハートアンドアローが互いに隣接し過ぎて肉眼では観察できなくなる。また、従来のカッティング方法によればパビリオンメインファセットの面数を増加させると、ダイアモンド原石の結晶との関係により良好に研磨処理できない。本発明者は、これらの点を考慮して鋭意検討した結果、ハートアンドアロー現象を肉眼で観察できる範囲内で、できるだけパビリオンメインファセット及びクラウンメインファセットの面数を増やしたダイアモンドをカッティングできる本発明をするに至った。
【００１８】
すなわち、本発明の骨子は、ダイアモンド原石における結晶形の稜線から約１５°ずらした位置が中央となるように最初の第１メインファセットと、続いて５の第１メインファセットを形成し、この第１メインファセットの境界線を中央として１０の第２メインファセットを、パビリオンとクラウンにそれぞれ形成することで、より強い輝きを発揮すると共にハートアロー現象を肉眼で観察できるダイアモンドを提供することである。
【００１９】
以下、本発明の実施の形態について、添付図面を参照して詳細に説明する。
図１は、本発明の一実施の形態に係るダイアモンドを示す正面図である。図２は、本発明の一実施の形態に係るダイアモンドをクラウン側から見た平面図である。図３は、本発明の一実施の形態に係るダイアモンドをパビリオン側から見た平面図である。
【００２０】
図１に示すように、ダイアモンド１は、略円錐台形状（断面略台形状）であるクラウン１１と、略円錐形状（断面略三角形状）であるパビリオン１２と、クラウン１１とパビリオン１２との境界周面の帯状のガードル１３とを有する。
【００２１】
図２に示すように、ダイアモンド１のクラウン１１には、中央に平坦なテーブル１４が形成されている。テーブル１４の周囲には、１０のスターファセット１５が形成されている。スターファセット１５の外側には、スターファセット１５と連なるように１０の略菱形のクラウンメインファセット１６（通常、ベゼルファセットと呼ばれる。）が形成されている。さらに、その外側には、クラウンメインファセット１６と連接するように２０のアッパーガードルファセット１７が形成されている。
【００２２】
図３に示すように、ダイアモンド１のパビリオン１２には、鋭角なキューレット１８を中心として１０のパビリオンメインファセット１９が形成されている。このパビリオンメインファセット１９の間には、２０のローワーガードルファセット２０が形成されている。
【００２３】
本発明に係るダイアモンド１の中で良好なプロポーションのものは、１０個のハートアンドアロー現象が現れる。このダイアモンド１では、カラーフィルターを用いた有色光によりメインファセットを照射し、かつ他のファセットからの入射光を遮断して拡大視装置を使用すると、フェイスアップ方向（テーブル１４を上側にした方向）に載置して観察する場合には、図４に示すような１０個のアロー現象２１が投影され、フェイスダウン方向（テーブル１４を下側にした方向）から観察する場合には、図５に示すような１０個のハート現象２２が投影される。
【００２４】
本発明に係るダイアモンド１は、１０のパビリオンメインファセット１９を有する。ダイアモンドのブリリアンシー（反射光）は、図１に示すように、クラウン１１側から入射した光（図１中の矢印）がパビリオンメインファセット１９で反射し、再度、クラウン１１側から出射することで創出される。したがって、従来のラウンドブリリアントカットによるダイアモンドより、パビリオンメインファセット１９の面数が多い本発明に係るダイアモンド１は、より強い輝きを発揮することができる。
また、その分散光や閃光は、反射光がクラウンを通過する時に、クラウンメインファセット１６で屈折されることにより発生する。したがって、従来のダイアモンドよりクラウンメインファセット１６の面数が多い本発明に係るダイアモンド１は、より強い輝きを発揮することができる。
【００２５】
また、前記したように、本発明に係るダイアモンド１においては、それぞれ１０のクラウンメインファセット１６と１０のパビリオンメインファセット１９が形成されており、従来のラウンドブリリアントカットより多い１０個のハートアンドアロー現象を観察することができる。「１０」という数字は、欧米では古くから「完全」や「発展」を意味し、装飾品として重要なセールスポイントがある。このため、１０個のハートアンドアローを具現できることによりダイアモンドの付加価値を高めることができる。
【００２６】
次に、本発明のダイアモンドのカッティング方法について説明する。図６（ａ）〜（ｄ）は、本発明に係るダイアモンドのパビリオン側のカッティング方法の一実施形態を説明するための図であり、図７（ａ）〜（ｄ）は、本発明に係るダイアモンドのクラウン側のカッティング方法の一実施形態を説明するための図である。また、図８（ａ）は、最も一般的なダイアモンドの結晶形を示す斜視図であり、図８（ｂ）は、その一方の先端部を切り取った状態を示す斜視図である。さらに、図９は、ダイアモンド原石の結晶形の成長線を示す図である。
【００２７】
パビリオン１１側を研磨処理する場合、第１の工程として、図６（ａ）に示すダイアモンド原石３の結晶形の稜線２３から約１５°ずらした角度２７を中心線２４として最初の第１パビリオンメインファセット２５ａを研磨処理を行い（図６（ｂ））、続いて５の第１パビリオンメインファセット２５を形成する（図６（ｃ））。この場合、第１パビリオンメインファセット２５を５つ形成するので、一つの第１パビリオンメインファセットの中心角２９は７２°となる。次いで、第２の工程として、第１パビリオンメインファセット２５の間の境界線３１を中心線として研磨処理を行い、中心角３０が３６°である１０の第２パビリオンメインファセット３２を形成する。
【００２８】
本発明の方法において、ダイアモンドの結晶形の稜線２３から約１５°ずらした位置を中心線２４として研磨処理を行うのは、ダイアモンド原石３の結晶形の成長線と関連がある。ダイアモンドは、図９に示すように、稜線Ｘ、稜線Ｙと成長線３３を有する。
仮に、成長線３３において稜線Ｘと稜線Ｙの間を４分割すると、線Ｚの位置（稜線より中心角３４が２２．５°ずれた位置）が最も平滑に研磨することが困難である。したがって、第１パビリオンメインファセット２５及び第２パビリオンメインファセット３２を形成する工程において、線Ｚをできるだけそれらのファセットの中心線付近に位置させないようにしなければ、平坦なファセットを形成し難くその後のポリッシュ（仕上げ）なども極めて困難になる。
【００２９】
通常のラウンドブリリアントカットの場合は、ダイアモンド原石３の４本の稜線を中央として第１の工程で４の第１パビリオンメインファセットを形成し、さらに第１パビリオンメインファセットの境界線を中心線として第２パビリオンメインファセットを形成すれば、線Ｚはファセットの中心線付近に位置することなく、８の第２パビリオンメインファセットが形成されるので何ら問題はない。
【００３０】
しかし、１０のパビリオンメインファセットを形成する場合には、従来の方法によるといずれかのパビリオンメインファセットの中心線付近に線Ｚの位置が重なってしまうので、第１の工程において最初の第１パビリオンメインファセット２５ａの中心線を稜線２３から約１５°ずらした角度２７として形成することで、全てのパビリオンメインファセットを問題なく研磨処理することができる。
【００３１】
また、図７（ａ）〜（ｄ）は、本発明に係るダイアモンドのクラウン側のカッティング方法の一実施形態を説明するための図である。
【００３２】
クラウン側を研磨処理する場合には、図８（ｂ）に示すように、ダイアモンド原石の結晶形の先端部を切り取る作業を行ない、まず平坦なテーブル４３を形成する。そして、第１の工程として図７（ａ）に示すダイアモンドの結晶形の稜線４３から約１５°ずらした位置を中心線４７として最初の第１クラウンメインファセット４４ａを形成し、（図７（ｂ））、続いて５の第１クラウンメインファセット４４を形成する（図７（ｃ））。この場合、第１クラウンメインファセット４４を５つ形成するので、一つの第１クラウンメインファセット４４の境界線４５と中心点を結んだ中心角４９は７２°となる。次いで、第２の工程として、第１クラウンメインファセット４４の間の境界線４５を中心として研磨処理を行い１０の第２クラウンメインファセット４８を形成する。この場合の中心角５０は３６°である。
【００３３】
本発明の方法において、ダイアモンドの結晶形の稜線２３から約１５°ずらした位置を基準線２４として研磨処理を行うのは、前記本発明に係るダイアモンドにおけるパビリオンファセットのカッティング方法と全く同様で、ダイアモンド原石の結晶形の成長線の位置に起因する。
【００３４】
また、パビリオンメインファセット及びクラウンメインファセットが形成された後には、それを基準として、さらに細かなロアーガードルファセット、スターファセット、アッパーガードルファセットが形成される。
【００３５】
ダイアモンドのファセットの研磨処理には、図１０に示すような装置が用いられる。５１は研磨処理を行う基台を示し、通常スカイフと呼ばれている。スカイフ５１は、回転シャフト５２により回転自在に支持されている。また、スカイフ５１上には、研磨粉であるダイアモンドパウダー５３がオイルなどを使用して塗布されている。
【００３６】
回転シャフト５２は、図示しない回転制御部により、その回転数（回転速度）などが制御される。スカイフ５１の上方には、制御部５５が設置されており、その制御部５５の先端には、通常タング５４と呼ばれるダイアモンド原石３を把持する把持部５６を備えた把持シャフトが取り付けられている。
【００３７】
制御部５５は、図示しない昇降手段により昇降可能に構成されており、ダイアモンド原石３を研磨処理する際に下降し、研磨処理が終了すると上昇するように制御を行う。また、制御部５５は、タング５６の角度、研磨時間、及び研磨圧力を制御して、ダイアモンドのファセットを形成する。なお、この装置においては、ダイアモンド原石３をタング５４で把持しつつ約３６°ずつ方向を変えて研磨処理を施すことができるようになっている。
【００３８】
上記構成を有する研磨装置を用いて、まず、回転シャフト５２によりスカイフ５１を所定の回転速度で回転させ、タング５４でダイアモンド原石３のクラウン側を把持し、制御部５５により把持シャフトを下降させて、パビリオン側をスカイフ５１に接触させて研磨処理する。このとき、タング５４の角度を約３６°ずつ方向を変えるように制御し、さらに研磨時間及び研磨圧力を制御する。この場合、前記したようにダイアモンド原石の結晶形の稜線２３から約１５°ずらした位置を中心線２４として研磨処理を行って最初の第１パビリオンメインファセット２５ａを形成し、続いて５の第１パビリオンメインファセット２５を形成する。さらに、第１パビリオンメインファセット２５の境界線３１を中心として研磨処理を行って、１０の第２パビリオンメインファセット３２を形成する。
【００３９】
また、本発明に係るダイアモンドにおけるクラウンメインファセットの研磨処理方法については前記パビリオンメインファセットと略同様である。
【００４０】
パビリオンメインファセット及びクラウンメインファセットが形成された後には、それを基準として、さらに細かなロアーガードルファセット、スターファセット、アッパーガードルファセットが形成されるが、その方法は従来のダイアモンドのカッティング方法と略同様である。
【００４１】
なお、前記したものは、通常、ダイアモンドのカッティング方法におけるブロッキングと呼ばれる工程であるが、他のマーキング工程、ソーイング工程、ブルーティング工程、及びテーブルポリッシュ工程等についても、従来のダイアモンドの工程と全く同様に行われる。
【００４２】
パビリオンメインファセットやクラウンメインファセットの数を多くすれば、ダイアモンドはより強い輝きを発揮させることができるが、あまりにもパビリオンメインファセット等の面数を多くすると、カットや輝きの証明であるハートアンドアロー現象が隣接し過ぎて肉眼では観察できなくなる。したがって、パビリオンメインファセットの数は１０程度であり、ハートアンドアローは１０個程度であることが望ましい。
また、第１メインファセットの研磨処理において、中心線としてダイアモンド原石３の結晶形の稜線２３からずらす角度は約１５°が好ましいと説明したが、研磨処理に支障のない程度の許容範囲はあると考えられる。
【００４３】
このように本発明に係る方法により得られたダイアモンドは、１０のパビリオンメインファセットと１０のクラウンメインファセットを有するので、入射した光がパビリオンでより多く反射し、クラウンでより多く屈折して出射する。これにより、より強い輝きを発揮すると共に従来のダイアモンドに比し、優れたカットの証明であるハートアンドアロー現象を肉眼でより多く観察することができる。
また、本発明に係るダイアモンドのカッティング方法によれば、１０のパビリオンメインファセットと１０のクラウンメインファセットを有するダイアモンドを容易かつ正確にカッティングすることができる。
【００４４】
本発明は上記実施の形態に限定されず、種々変更して実施することが可能である。上記実施の形態においては、ダイアモンドについて説明しているが、本発明はダイアモンド以外の宝石にも同様に適用することができる。
【００４５】
【発明の効果】
以上説明したように本発明においては、ダイアモンドのカッティング方法において、第１の工程の最初の第１メインファセットの中央をダイアモンド原石の結晶の稜線から約１５°ずらした位置として５の第１メインファセットを形成することで、このメインファセットの境界線を基準として１０の第２メインファセットをクラウン。パビリオンのいずれにも容易かつ正確に形成することができる。したがって、より強い輝きを発揮すると共に優れたダイアモンドの証明であるハートアロー現象を肉眼で観察できる程度でより多く具現できるダイアモンドを提供することができる。
【図面の簡単な説明】
【図１】本発明の一実施の形態に係るダイアモンドを示す正面図である。
【図２】本発明の一実施の形態に係るダイアモンドをクラウン側から見た平面図である。
【図３】本発明の一実施の形態に係るダイアモンドをパビリオン側から見た平面図である。
【図４】本発明の一実施の形態に係るダイアモンドにおけるアロー現象を示す平面図である。
【図５】本発明の一実施の形態に係るダイアモンドにおけるハート現象を示す平面図である。
【図６】（ａ）〜（ｄ）は、本発明の一実施の形態に係るダイアモンドのパビリオン側のカッティング方法の一部を説明するための図である。
【図７】（ａ）〜（ｄ）は、本発明の一実施の形態に係るダイアモンドのクラウン側のカッティング方法の一部を説明するための図である。
【図８】（ａ）〜（ｂ）は、ダイアモンド結晶形及びその先端部を切り取った状態を示す斜視図である。
【図９】ダイアモンド原石の結晶形の成長線を示す図である。
【図１０】本発明の一実施の形態に係るダイアモンドのカッティング方法に使用する装置を示す図である。
【図１１】従来のダイアモンドをクラウン側から見た平面図である。
【図１２】従来のダイアモンドをパビリオン側から見た平面図である。
【図１３】（ａ）〜（ｄ）は、従来のダイアモンドのパビリオン側のカッティング方法の一部を説明するための図である。
【図１４】（ａ）〜（ｄ）は、従来のダイアモンドのクラウン側のカッティング方法の一部を説明するための図である。
【図１５】従来のダイアモンドにおけるアロー現象を示す平面図である。
【図１６】従来のダイアモンドにおけるハート現象を示す平面図である。
【符号の説明】
１  ダイアモンド
３  ダイアモンド原石
１１  クラウン
１２  パビリオン
１３  ガードル
１４  テーブル
１５  スターファセット
１６  クラウンメインファセット
１７  アッパーガードルファセット
１８  キューレット
１９  パビリオンメインファセット
２０  ローワーガードルファセット
２１  アロー現象
２２  ハート現象
２３  稜線
２４  中心線
２５  第１メインファセット
２７  角度
２９  中心角
３０  中心角
３１  境界線
３２  第２パビリオンメインファセット
３３  成長線
３４  中心角
４３  テーブル
４４  第１クラウンメインファセット
４５  境界線
４７  中心線
４８  第２クラウンメインファセット
４９  中心角
５０  中心角
５１  スカイフ
５２  回転シャフト
５３  ダイアモンドパウダー
５４  タング
５５  制御部
５６  把持部
８１  テーブル
８２  クラウンメインファセット
８３  スターファセット
８４  アッパーガードルファセット
８５  パビリオンメインファセット
８６  ローワーガードルファセット
９１  稜線
９２  第１パビリオンメインファセット
９３  境界線
９４  第２パビリオンメインファセット
９５  中心角
１２３  アロー現象
１２４  ハート現象
【図１】
2006181644.tif 000003
【図２】
2006181644.tif 000004
【図３】
2006181644.tif 000005
【図４】
2006181644.tif 000006
【図５】
2006181644.tif 000007
【図６】
2006181644.tif 000008
【図７】
2006181644.tif 000009
【図８】
2006181644.tif 000010
【図９】
2006181644.tif 000011
【図１０】
2006181644.tif 000012
【図１１】
2006181644.tif 000013
【図１２】
2006181644.tif 000014
【図１３】
2006181644.tif 000015
【図１４】
2006181644.tif 000016
【図１５】
2006181644.tif 000017
【図１６】
2006181644.tif 000018